(57)【要約】【課題】  簡便な回路構成でもって、検出回路に対する雷サージやノイズの侵入レベルを抑制する。【解決手段】  低圧の単相交流電路の電源側と負荷側間に接続されたＺＣＴを備え、そのＺＣＴに流れる電流を検出する漏電検出部３を設け、その漏電検出部３からの検出信号によりＺＣＴの電源側に設けた接点を開放する漏電保護装置において、前記漏電検出部３は、単相交流電路にトランスレスで接続された直流電源３１と、その直流電源３１の出力に接続された接点開閉用コイル３２およびそのコイル駆動回路３３と、そのコイル駆動回路３３に駆動信号を出力する検出回路３４とを備え、前記コイル駆動回路３３にノイズ吸収用コンデンサ３５を並列に接続する。【選択図】  図２
2006228571.tif 000002
【特許請求の範囲】
【請求項１】
低圧の単相交流電路の電源側と負荷側間に接続されたＺＣＴを備え、そのＺＣＴに流れる電流を検出する電流検出部を設け、その電流検出部からの検出信号によりＺＣＴの電源側に設けた接点を開放する保護装置において、前記電流検出部は、単相交流電路にトランスレスで接続された直流電源と、その直流電源の出力に接続された接点開閉用コイルおよびそのコイル駆動回路と、そのコイル駆動回路に駆動信号を出力する検出回路とを備え、前記コイル駆動回路にノイズ吸収用コンデンサを並列に接続したことを特徴とする保護装置。
【請求項２】
前記電流検出部は、低圧の単相交流電路の電源側と負荷側間に接続されたＺＣＴに流れる漏電電流に基づいて単相交流電路での漏電を検出する漏電検出部である請求項１に記載の保護装置。
【発明の詳細な説明】
【技術分野】
【０００１】
本発明は、例えば給湯器などに組み込まれ、水漏れ等による漏電を検出する漏電ブレーカまたは漏電リレー等の漏電保護装置に好適な保護装置に関する。
【背景技術】
【０００２】
例えば給湯器などでは、感電防止を目的として、水漏れ等による漏電を検出するために漏電ブレーカまたは漏電リレー等の漏電保護装置が組み込まれているのが一般的である。この漏電保護装置は、低圧の単相交流電路の電源側と負荷側間に接続されたＺＣＴ（変流器）を備え、前記ＺＣＴに流れる漏電電流に基づいて単相交流電路での漏電を検出する漏電検出部を設けた回路構成を具備する。
【０００３】
この漏電保護装置では、単相交流電路に水漏れ等による漏電電流が流れると、ＺＣＴに流れる漏電電流を漏電検出部で検出し、その漏電検出部からの検出信号によりＺＣＴの電源側に設けた接点を開放する。この接点の開放により単相交流電路の電源側と負荷側を遮断することにより、その負荷側に接続された負荷を保護するようにしている。
【発明の開示】
【発明が解決しようとする課題】
【０００４】
ところで、前述したように従来の漏電保護装置における漏電検出部は、単相交流電路にトランスレスで接続された直流電源と、その直流電源の出力に接続された接点開閉用コイルおよびそのコイル駆動回路と、そのコイル駆動回路に駆動信号を出力する検出回路とを備えた回路構成を具備する。
【０００５】
このように漏電検出部の直流電源をトランスレスで単相交流電路に接続した場合、雷サージやノイズの影響を直接受ける構成となっている。これに対して、検出回路は、ＤＣ３〜５Ｖ程度で動作するＩＣで構成されるのが一般的である。従って、検出回路に対する雷サージやノイズの侵入レベルを抑制する必要がある。
【０００６】
そこで、本発明は前述の問題点に鑑みて提案されたもので、その目的とするところは、簡便な回路構成でもって、検出回路に対する雷サージやノイズの侵入レベルを抑制し得る保護装置を提供することある。
【課題を解決するための手段】
【０００７】
前述の目的を達成するための技術的手段として、本発明は、低圧の単相交流電路の電源側と負荷側間に接続されたＺＣＴを備え、そのＺＣＴに流れる電流を検出する電流検出部を設け、その電流検出部からの検出信号によりＺＣＴの電源側に設けた接点を開放する保護装置において、前記電流検出部は、単相交流電路にトランスレスで接続された直流電源と、その直流電源の出力に接続された接点開閉用コイルおよびそのコイル駆動回路と、そのコイル駆動回路に駆動信号を出力する検出回路とを備え、前記コイル駆動回路にノイズ吸収用コンデンサを並列に接続したことを特徴とする。
【０００８】
なお、前述の構成における電流検出部は、低圧の単相交流電路の電源側と負荷側間に接続されたＺＣＴに流れる漏電電流に基づいて単相交流電路での漏電を検出する漏電検出部とすれば、本発明を漏電保護装置として適用することが可能である。
【０００９】
本発明に係る保護装置では、電流検出部を構成するコイル駆動回路にノイズ吸収用コンデンサを並列に接続したことにより、接点開閉用コイルとノイズ吸収用コンデンサとでＬ−Ｃ回路構成のフィルタを形成することができ、雷サージやノイズに対して効率のよいフィルタ回路を容易に構成することができる。
【発明の効果】
【００１０】
本発明によれば、電流検出部を構成するコイル駆動回路にノイズ吸収用コンデンサを並列に接続したことにより、接点開閉用コイルとノイズ吸収用コンデンサとでＬ−Ｃ回路構成のフィルタを形成することができ、雷サージやノイズに対して効率のよいフィルタ回路を容易に構成することができる。その結果、簡便な回路構成でもって、検出回路に対する雷サージやノイズの侵入レベルを抑制することができ、信頼性の向上が図れて高性能の保護装置を提供することができる。
【発明を実施するための最良の形態】
【００１１】
図１および図２は本発明に係る保護装置の実施形態を示す回路図である。図１は、例えば給湯器などに組み込まれ、感電防止を目的として、水漏れ等による漏電を検出する漏電ブレーカまたは漏電リレー等の漏電保護装置、図２はその漏電保護装置を構成する漏電検出部の回路構成をそれぞれ示す。
【００１２】
図１に示す実施形態における漏電保護装置は、低圧の単相交流電路１の電源側と負荷側間に接続されたＺＣＴ２（変流器）を備え、そのＺＣＴ２に流れる漏電電流に基づいて単相交流電路１での漏電を検出する漏電検出部３を設けた回路構成を具備する。
【００１３】
この漏電保護装置では、単相交流電路１に水漏れ等による漏電電流が流れると、ＺＣＴ２に流れる漏電電流を漏電検出部３で検出し、その漏電検出部３からの検出信号によりＺＣＴ２の電源側に設けた接点４を開放する。この接点４の開放により単相交流電路１の電源側と負荷側を遮断することにより、その負荷側に接続された負荷を保護する。
【００１４】
この漏電保護装置は、感電防止だけでなく、落雷などによる雷サージから負荷を保護するために、ＳＰＤ（サージ防護デバイス）を内蔵させた回路構成を具備する。つまり、ＺＣＴ２の電源側に一つのＺｎＯ素子５を設け、かつ、そのＺｎＯ素子５のＬ2側端子と大地間に放電ギャップ６を設けた回路構成を具備する。
【００１５】
電源線Ｌ1，Ｌ2の線間に印加される雷サージについては、その電源線Ｌ1，Ｌ2の線間に設けられたＺｎＯ素子５により吸収される。また、放電ギャップ６が設けられていない電源線Ｌ1と大地間に印加される雷サージについては、ＺｎＯ素子５と放電ギャップ６と大地で閉回路を形成し、そのＺｎＯ素子５と放電ギャップ６で吸収される。さらに、放電ギャップ６が設けられた電源線Ｌ2と大地間に印加される雷サージについては、放電ギャップ６で吸収される。
【００１６】
前述した構成からなる漏電保護装置の漏電検出部３は、図２に示すように単相交流電路１にトランスレスで接続された直流電源３１と、その直流電源３１の出力に接続された接点開閉用コイル３２およびそのコイル駆動回路３３と、そのコイル駆動回路３３に駆動信号を出力する検出回路３４とを備え、コイル駆動回路３３にノイズ吸収用コンデンサ３５を並列に接続した回路構成を具備する。
【００１７】
漏電検出部３を前述のようにコイル駆動回路３３にノイズ吸収用コンデンサ３５を並列に接続したことにより、大きなインダクタンスを有する接点開閉用コイル３２にノイズ吸収用コンデンサ３５を付加することでＬ−Ｃ回路構成のフィルタを形成することができ、雷サージやノイズに対して効率のよいフィルタ回路を容易に構成することができる。
【００１８】
ここで、Ｌ−Ｃフィルタ回路を構成するコイルのインダクタンスは、コモンモードフィルタにおいて１〜１０ｍＨで、ノーマルモードフィルタにおいては数百μＨ程度が一般的であるのに対して、この実施形態における接点開閉用コイル３２のインダクタンスは、ノーマルモードで数百ｍＨと大きく、その結果、ノイズ吸収用コンデンサ３５の容量を小さくすることができる。これにより、ノイズ吸収用コンデンサ３５を付加するだけで効率のよいＬ−Ｃ回路構成のフィルタを設けることができ、しかも、そのノイズ吸収用コンデンサ３５の容量が小さくて済むので機器の小型化、低コスト化を図ることができる。
【００１９】
なお、前述の実施形態では、水漏れ等による漏電を検出する漏電ブレーカまたは漏電リレー等の漏電保護装置について説明したが、本発明はこれに限定されることなく、他の単相交流電路の電流検出部に適用することが可能である。
【図面の簡単な説明】
【００２０】
【図１】本発明の実施形態で、漏電保護装置の全体構成を示す回路図である。
【図２】図１の漏電検出部の回路構成を示す回路図である。
【符号の説明】
【００２１】
１  単相交流電路
２  ＺＣＴ
３  電流検出部（漏電検出部）
４  接点
３１  直流電源
３２  接点開閉用コイル
３３  コイル駆動回路
３４  検出回路
３５  ノイズ吸収用コンデンサ
【図１】
2006228571.tif 000003
【図２】
2006228571.tif 000004